(57)【要約】【課題】キャビネット内の任意の箇所に存する収納物を楽に出し入れすることができるキャビネットを提供するものである。【解決手段】上面と一側面とを開口したキャビネット本体８の両面を被装するように回動自在に天板１と側板１２とを丁番３で連結した側蓋２が設けられたキャビネットにおいて、該側蓋２の下部がキャビネット本体８の内側の前後両端下部に回動自在に設けられるとともに、前記天板１をキャビネット本体８の内側面の上部に設けられた天板受け５に載置する。【選択図】　　　　　図１
2004057388.tif 000002
【特許請求の範囲】
【請求項１】
上面と一側面とを開口したキャビネット本体の両面を被装するように回動自在に天板と側板とを丁番で連結した側蓋が設けられたキャビネットにおいて、該側蓋の下部がキャビネット本体の内側の前後両端下部に回動自在に設けられるとともに、前記天板をキャビネット本体の内側面の上部に設けられた天板受けに載置することを特徴とするキャビネット。
【請求項２】
前記側蓋は、開口時には、上端が下端よりも上方に位置するように回動範囲が規制されるように保持されることを特徴とする請求項１記載のキャビネット。
【請求項３】
前記側蓋の天板は、前記側板の後面に沿うように屈曲することを特徴とする請求項１または２に記載のキャビネット。
【請求項４】
前記側蓋の天板は、前記側板よりも前方へ向かって回動し、前記側板は前記天板を略水平に支持する為の支持具を備えることを特徴とする請求項１乃至３のいずれかに記載のキャビネット。
【発明の詳細な説明】
【０００１】
【発明の属する技術分野】
本発明はキャビネットに関し、詳しくは、キャビネット本体前面を覆い、天面と側面とに開口する側蓋を備えたキャビネットに関する。
【０００２】
【従来の技術】
従来、例えば図５に示すような、左側板１０３、右側板１０４、天板１０２、底板１０５及び前蓋１０１により形成されるキャビネット１００が存在する。この前蓋１０１は、下部が左側板１０３、及び右側板１０４に枢軸（図示せず）により前方へ回動するように支持されている。また天板１０２の下面前端部にはマグネット１０６が設けられており、一方、前蓋１０１の後面上端部には、前記マグネット１０６にくっつくための金属板（図示せず）が設けられている。よって、このキャビネット１００では、前蓋１０１は、マグネット１０６により閉じた状態を保持し、また開けるときは、枢軸を中心に前方へ傾斜しながら開くものである。
【０００３】
ところで、このキャビネット１００では、キャビネット内の奥に存する収納物を取り出す際には、当該収納物よりも前方に位置するキャビネット内の収納物を取り出さないと、取り出すことが難しいものである。
【０００４】
一方キャビネット内の奥に存する収納物を取り出すには、図６に示すような、引出式のキャビネット２００が存在する。このものでは引出２０１をキャビネット２００の前方へ引き出して収納物を出し入れするが、引出２０１の奥の収納物を出し入れする場合は、引出２０１を略全て前方へ引き出さないと出し入れすることが難しいものである。
【０００５】
【発明が解決しようとする課題】
本発明は上記の問題点を解消するためのものであって、側面を蓋するようなキャビネットにおいて、キャビネット内の任意の箇所に存する収納物を楽に出し入れすることができるキャビネットを提供するものである。
【０００６】
【課題を解決するための手段】
本発明の請求項１記載のキャビネットにあっては、上面と一側面とを開口したキャビネット本体の両面を被装するように回動自在に天板と側板とを丁番で連結した側蓋が設けられたキャビネットにおいて、該側蓋の下部がキャビネット本体の内側の前後両端下部に回動自在に設けられるとともに、前記天板をキャビネット本体の内側面の上部に設けられた天板受けに載置することを特徴とする。
【０００７】
このものにあっては、天板が側板と連結されているので、側蓋の左右両端下部がキャビネット本体の内側の前後両端下部に連結されながら前方へキャビネット本体から外れるとともに、天板がキャビネット本体から外れる。従って、キャビネット本体内の収納物を、キャビネット本体の横方及び上方から出し入れすることができる。即ち上方から収納物を確認することができるため、キャビネットの側蓋から奥行き方向の収納物を自在に出し入れすることができる。従ってキャビネット内の任意の箇所に存する収納物を楽に出し入れすることができる。
【０００８】
本発明の請求項２記載のキャビネットにあっては、請求項１記載のキャビネットにおいて、前記側蓋は、開口時には、上端が下端よりも上方に位置するように回動範囲が規制されるように保持されることを特徴とする。
【０００９】
このものにあっては、側蓋が開いた状態では、側蓋がキャビネット本体側端から略水平に突出された状態ではなく、略上方へ回動範囲が規制されるように保持され、傾斜した状態に保たれる。従って、キャビネット本体から側蓋が突出された領域が抑えられる為、開いた側蓋が邪魔に感じることは抑えられる。
【００１０】
本発明の請求項３記載のキャビネットにあっては、請求項１または２に記載のキャビネットにおいて、前記側蓋の天板は、前記側蓋の後面に沿うように屈曲することを特徴とする。
【００１１】
このものにあっては、天板が側板の後方に突出することが免れる為、キャビネット内の収納物を取り出すときに、天板が邪魔に感じることは抑制される。
【００１２】
本発明の請求項４記載のキャビネットにあっては、請求項１乃至３のいずれかに記載のキャビネットにおいて、前記側蓋の天板は、前記側板よりも前方へ向かって回動し、前記側板は前記天板を略水平に支持する為の支持具を備えることを特徴とする。
【００１３】
このものにあっては、側蓋の天板が側板の前方へ突出される。そして同天板は支持具により略水平に支持される。従って、この略水平支持された天板を、載置台として使用することが可能である。
【００１４】
【発明の実施の形態】
以下本発明の実施形態を図１及至図４を用いて説明するものである。
（実施形態１）
以後、本発明の実施形態１を、図１および図２を用いて説明するものである。本発明の実施形態１におけるキャビネットは、側蓋２の天板１が側板１２の後面に沿うように屈曲するように丁番３を設けるものである。
【００１５】
図１および図２に示すように、上面と一側面とを開口したキャビネット本体８の両面を被装するように回動自在に天板１と側板１２とを丁番３で連結した側蓋２が設けられたキャビネットにおいて、該側蓋２の下部がキャビネット本体８の内側の前後両端下部に回動自在に設けられるとともに、前記天板１をキャビネット本体８の内側面の上部に設けられた天板受け５に載置する。
【００１６】
天板１には引き手が取付いており、天板１と側板１２は丁番３で接合している。キャビネット本体８の両前板４内面には、前後共に上部に天板１が支持されるように天板受け５が取付けている。また、側蓋２の下部には回動ストッパー軸７が取付けており、側蓋２と両前板４の間には側蓋用回動軸６によって回動自在に支持されている。また、両前板４の側端の側蓋用回動軸６の上部には、側蓋用回動軸６を中心に所定の距離Ｓを有した回動溝９を角度θ分有している。そして、側蓋２の両側部には、回動溝９に角度θ分移動できるように、回動ストッパー軸７が設けられている。
【００１７】
天板１は、通常では天板受け５で保持されている。Ａ方向に力を加え、開いた場合、側蓋用回動軸６を中心として、側蓋２と共に天板１が開く。そのとき、
前後の両前板４内面に加工している回動溝９内を、側蓋２に取付けている回動ストッパー軸７が移動する。回動溝９の範囲で開角度が定まる。
【００１８】
また、前記側蓋２は、開口時には、上端が下端よりも上方に位置するように回動範囲が規制されるように保持される。
【００１９】
そして、前記側蓋２の天板１は、前記側板１２の後面に沿うように屈曲する。天板１は丁番３により、側板１２方向に折りたたまれる。
【００２０】
このものにあっては、天板１が側板１２の後方に突出することが免れる為、キャビネット内の収納物を取り出すときに、天板１が邪魔に感じることは抑制される。したがって、キャビネットの側面の側蓋２が天板１と共に開き、天板１が折りたためる構造としたことにより、収納容量を従来に比べ大きくとれるようになるものである。
（実施形態２）
以後、本発明の実施形態２を、図３および図４を用いて説明するものである。本発明の実施形態２におけるキャビネットは、側蓋２の天板１が側板１２よりも前方へ向かって回動し、側板１２に天板１を略水平に支持する為の支持具１０を設けるものである。
【００２１】
図３および図４に示すように、上面と一側面とを開口したキャビネット本体８の両面を被装するように回動自在に天板１と側板１２とを丁番３で連結した側蓋２が設けられたキャビネットにおいて、該側蓋２の下部がキャビネット本体８の内側の前後両端下部に回動自在に設けられるとともに、前記天板１をキャビネット本体８の内側面の上部に設けられた天板受け５に載置する。
【００２２】
天板１には引き手が取付いており、天板１と側板１２は天板用回動軸１１で接合している。キャビネット本体８の両前板４内面には、前後共に上部に天板１が支持されるように天板受け５が取付けている。また、側蓋２には回動ストッパー軸７が取付けており、側蓋２とキャビネット本体８の前後の両前板４の間には側蓋用回動軸６がある。
【００２３】
天板１は、通常では天板受け５で保持されている。Ａ方向に力を加え、開いた場合、側蓋用回動軸６を中心として、側蓋２と共に天板１が開く。そのとき、キャビネット本体の両前板４内部に加工している回動溝９内を、側蓋２に取付けている回動ストッパー軸７が移動する。回動溝９の範囲で開角度が定まる。
【００２４】
また、前記側蓋２は、開口時には、上端が下端よりも上方に位置するように回動範囲が規制されるように保持される。
【００２５】
さらに、側蓋２の天板１は側板１２よりも前方へ向かって回動し、前記側板１２は前記天板１を略水平に支持する為の支持具１０を備える。側蓋２には支持具１０が取付けており、支持具１０で天板１を支える。
【００２６】
このものにあっては、天板１が側板の前方へ突出される。そして同天板１は支持具１０により略水平に支持される。従って、この略水平支持された天板１を、載置台として使用することが可能である。
【００２７】
【発明の効果】
以上の説明により、本発明の請求項１記載のキャビネットにあっては、天板が側蓋に連結されているので、側蓋が、左右両端下部がキャビネット本体に連結されながら前方へキャビネット本体から外れるとともに、天板がキャビネット本体から外れる。従って、キャビネット本体内の収納物を、キャビネット本体の横方及び上方から出し入れことができる。即ち上方から収納物を確認することができるため、キャビネットの奥行き方向の収納物を自在に出し入れことができる。従ってキャビネット内の任意の箇所に存する収納物を楽に出し入れすることができる。
【００２８】
本発明の請求項２記載のキャビネットにあっては、前蓋が開いた状態では、側蓋がキャビネット本体側端から略水平に突出された状態ではなく、略上方へ傾斜した状態に保たれる。従って、キャビネット本体から側蓋が突出された領域が抑えられる為、開いた側蓋が邪魔に感じることは抑えられる。
【００２９】
本発明の請求項３記載のキャビネットにあっては、天板が側板の後方に突出することが免れる為、キャビネット内の収納物を取り出すときに、天板が邪魔に感じることは抑制される。
【００３０】
本発明の請求項４記載のキャビネットにあっては、天板が側板の前方へ突出される。そして同天板は支持具により略水平に支持される。従って、この略水平支持された天板を、載置台として使用することが可能である。
【図面の簡単な説明】
【図１】本発明の実施形態１に係るキャビネットを示し、（ａ）は側蓋が開いた状態を示す正面図で、（ｂ）は天板が側板の後方に折れた状態を示す正面図で、（ｃ）は（ｂ）図のＣ部丁番部を拡大した正面図で、（ｄ）は（ｂ）図のＤ部回動軸部を拡大した正面図である。
【図２】本発明の実施形態１に係るキャビネットを示し、（ａ）は側蓋が閉じた状態を示す正面図で、（ｂ）は丁番部および回動軸部の取付状態を示す側面図で、（ｃ）は（ｂ）図のＥ部丁番部および天板受け部を拡大した側面図で、（ｄ）は（ｂ）図のＦ部回動軸部を拡大した側面図である。
【図３】本発明の実施形態２に係るキャビネットを示し、（ａ）は側蓋が開いた状態を示す正面図で、（ｂ）は天板が側板の前方に回動した状態を示す側面図で、（ｃ）は（ｂ）図のＧ部回動軸部を拡大した正面図である。
【図４】本発明の実施形態２に係るキャビネットを示し、（ａ）は側蓋が閉じた状態を示す正面図で、（ｂ）は側蓋が閉じた状態を示す側面図で、（ｃ）は側蓋が閉じた状態を示す上面図で、（ｄ）は（ｃ）図のＨ部回動軸部および支持具部を拡大した側面図である。
【図５】従来のキャビネットを示す前蓋が下部の枢軸により前方へ回動するように支持されているキャビネットの斜視図である。
【図６】従来のキャビネットを示す引出式のキャビネットの斜視図である。
【符号の説明】
１　　　天板
２　　　　　　側蓋
３　　　丁番
４　　　　　　前板
５　　　天板受け
６　　　　　　側蓋用回動軸
７　　　回動ストッパー軸
８　　　　　　キャビネット本体
９　　　　　　回動溝
１０　　　　支持具
１１　　　　天板用回動軸
１２　　　　側板
【図１】
2004057388.tif 000003
【図２】
2004057388.tif 000004
【図３】
2004057388.tif 000005
【図４】
2004057388.tif 000006
【図５】
2004057388.tif 000007
【図６】
2004057388.tif 000008